(57)【特許請求の範囲】
【請求項１】
光源と前記光源から出射される光を遮断する第１状態と前記光源からの光の少なくとも一部を透過させる第２状態とのいずれかをとりうる表示パネルとを有する表示器と、
前記表示器の周囲の外光の明るさを検出する外光センサで検出される明るさに応じて前記光源の輝度を制御する輝度制御部と、
前記表示パネルを制御して前記表示パネルを前記第１状態と前記第２状態とのいずれかにする表示パネル制御部と、
自装置へ電源が投入されてからの経過時間を計時する計時部と、を備え、
前記表示パネル制御部は、
前記経過時間が、自装置へ電源が投入された後に予め設定された第１基準時間よりも短い場合、前記表示パネルを前記第１状態にし、
前記経過時間が前記第１基準時間以上の場合、前記表示パネルを前記第２状態にし、
前記輝度制御部は、
前記経過時間が予め設定された、前記第１基準時間以上の長さの第２基準時間よりも短い場合、前記経過時間が前記第１基準時間に達した時点において前記外光センサで検出された明るさに基づいて設定される一定の輝度で前記光源を点灯させ、
前記経過時間が前記第２基準時間以上である場合、前記外光センサにより検出される前記外光の明るさに応じて輝度が変化するように前記光源を点灯させる、
表示装置。
【請求項２】
前記表示パネルは、前記第２状態において、前記光源からの光により前記表示器に第１画像または前記第１画像とは異なる第２画像を表示し、
前記表示パネル制御部は、更に、
前記経過時間が前記第１基準時間以上且つ前記第２基準時間よりも短い場合、前記表示器に前記第１画像が表示されるように前記表示パネルを制御し、前記経過時間が前記第２基準時間以上の場合、前記表示器に前記第２画像が表示されるように前記表示パネルを制御する、
請求項１に記載の表示装置。
【請求項３】
前記第１画像は、オープニング画像である、
請求項２に記載の表示装置。
【発明の詳細な説明】
【技術分野】
【０００１】
本発明は、表示装置に関する。
【背景技術】
【０００２】
車両情報を表示する表示装置が提案されている（例えば特許文献１参照）。この種の表示装置として、例えば車両の周囲の明るさの変化に応じて表示パネルの輝度を調節する表示装置が提供されている。
【先行技術文献】
【特許文献】
【０００３】
【特許文献１】特開２０１１−２４５９００号公報
【発明の概要】
【発明が解決しようとする課題】
【０００４】
ところで、ユーザは、この種の表示装置へ電源を投入した直後において、表示装置が正常に立ち上がることを確認するために、その表示画面を注視している場合が多い。また、この種の表示装置は、電源が投入された直後の初期動作中において、いわゆるオープニング画像（初期画像）を表示画面に表示させるのが一般的である。そして、この種の表示装置において、表示画面に初期画像が表示されている状態でも表示画面の輝度が車両の周囲の明るさの変化に応じて変化してしまうと、ユーザが違和感を覚えてしまう虞がある。
【０００５】
本発明は、上記事由に鑑みてなされたものであり、ユーザに与える違和感を軽減できる表示装置を提供することを目的とする。
【課題を解決するための手段】
【０００６】
上記目的を達成するため、本発明に係る表示装置は、
光源と前記光源から出射される光を遮断する第１状態と前記光源からの光の少なくとも一部を透過させる第２状態とのいずれかをとりうる表示パネルとを有する表示器と、
前記表示器の周囲の外光の明るさを検出する外光センサで検出される明るさに応じて前記光源の輝度を制御する輝度制御部と、
前記表示パネルを制御して前記表示パネルを前記第１状態と前記第２状態とのいずれかにする表示パネル制御部と、
自装置へ電源が投入されてからの経過時間を計時する計時部と、を備え、
前記表示パネル制御部は、
前記経過時間が、自装置へ電源が投入された後に予め設定された第１基準時間よりも短い場合、前記表示パネルを前記第１状態にし、
前記経過時間が前記第１基準時間以上の場合、前記表示パネルを前記第２状態にし、
前記輝度制御部は、
前記経過時間が予め設定された、前記第１基準時間以上の長さの第２基準時間よりも短い場合、前記経過時間が前記第１基準時間に達した時点において前記外光センサで検出された明るさに基づいて設定される一定の輝度で前記光源を点灯させ、
前記経過時間が前記第２基準時間以上である場合、前記外光センサにより検出される前記外光の明るさに応じて輝度が変化するように前記光源を点灯させる。
【発明の効果】
【０００７】
本発明によれば、ユーザに与える違和感を軽減できる。
【図面の簡単な説明】
【０００８】
【図１】本発明の実施形態に係る表示装置の構成を示すブロック図である。
【図２】実施形態に係る表示器の概略構成図である。
【図３】実施形態に係る表示器の動作説明図である。
【図４】実施形態に係る表示装置が実行する表示制御処理の流れを示すフローチャートである。
【図５】実施形態に係る表示装置について、（Ａ）は表示パネルの画面表示の推移を示す図であり、（Ｂ）はバックライトに印加される電圧の推移を示す図であり、（Ｃ）は外光センサから出力される電流の推移を示す図である。
【図６】実施形態に係る表示パネルに表示される画像を示す図であり、（Ａ）は電源投入直後の画面、（Ｂ）は初期画像、（Ｃ）は通常画像を示す図である。
【図７】実施形態に係る輝度制御テーブルの内容を説明するための図である。
【図８】変形例に係る表示装置の外観を示す平面図である。
【発明を実施するための形態】
【０００９】
以下に、本発明の一実施形態に係る表示装置について添付図面を参照しながら説明する。この表示装置は、例えば自動二輪車のような車両（図示せず）に搭載される。表示装置１は、図１に示すように、表示器１００と表示器１００を制御する制御部２００とを備える。制御部２００は、車両の周囲の明るさを検知する外光センサ４００に接続されている。外光センサ４００は、例えばフォトダイオードから構成され、表示器１００或いは表示器１００が搭載された車両の周囲の外光の明るさを検出し、検出した明るさに応じた大きさの電流を出力する。
【００１０】
表示器１００は、表示パネル１０１とバックライト１０２とを備える。表示パネル１０１は、例えばＴＦＴ（Thin Film Transistor）液晶ディスプレイから構成される。バックライト１０２は、例えばＬＥＤ（Light Emitting Diode）を用いたエッジライト方式のバックライトから構成され、図２に示すように、その出射面１０２ａが表示パネル１０１の表示面１０１ａとは反対側の後面１０１ｂに対向した状態で配置されている。表示パネル１０１は、バックライト１０２から出射される光を遮断する第１状態とバックライト１０２からの光を透過させる第２状態とのいずれかの状態となる。第１状態では、図３に示すように、バックライト１０２の出射面１０２ａから出射した光Ｌは表示パネル１０１の表示面１０１ａ側へ透過しない。
【００１１】
図１に戻って、制御部２００は、ＣＰＵ２０１と主記憶部２０２と補助記憶部２０３とセンサインタフェース（Ｉ／Ｆ）２０４とドライバ２０６と調光部２０７と各部を接続するバス２０８とを備える。
【００１２】
センサインタフェース２０４は、外光センサ４００に接続され、外光センサ４００から入力される電流の電流値を、明るさを示す明るさ情報に変換して出力する。
【００１３】
ドライバ２０６は、例えばアクティブ・マトリクス駆動方式により表示パネル１０１を駆動する。調光部２０７は、例えばＰＷＭ（Pulse Width Modulation）制御に対応した調光回路を備え、バックライト１０２に印加する電圧の高さを制御することによりバックライト１０２の輝度を調節する。
【００１４】
主記憶部２０２は、ＲＡＭ（Random Access Memory）等の揮発性メモリから構成されている。主記憶部２０２は、ＣＰＵ２０１の作業領域として使用される。
【００１５】
補助記憶部２０３は、磁気ディスク、半導体メモリ等の不揮発性メモリから構成されている。補助記憶部２０３は、画像データを記憶する画像記憶部２０３ａを有している。画像記憶部２０３ａは、表示器１００に表示される初期画像に対応する第１画像データと通常画像に対応する第２画像データとを記憶している。また、補助記憶部２０３は、車両の周囲の明るさと調光部２０７におけるＰＷＭ信号のディーティ比との相関関係を示しバックライト１０２の輝度制御に用いられる輝度制御テーブルを記憶する。更に、補助記憶部２０３は、ＣＰＵ２０１が実行するプログラムおよび各種パラメータ等を記憶している。
【００１６】
ＣＰＵ２０１は、補助記憶部２０３が記憶するプログラムを主記憶部２０２に読み出して実行することにより、輝度制御部２１０、表示パネル制御部２２０および計時部２３０として機能する。
【００１７】
輝度制御部２１０は、外光センサ４００で検出される明るさに応じてバックライト１０２の輝度を制御する。この輝度制御部２１０は、調光部２０７にバックライト１０２の輝度を示す輝度情報を出力することにより、バックライト１０２の輝度を制御する。この輝度情報は、例えばＰＷＭ信号のデューティ比を示す情報を含んでいる。調光部２０７は、輝度制御部２１０から入力される輝度情報が示す輝度に応じた大きさの電圧をバックライト１０２に印加する。
【００１８】
表示パネル制御部２２０は、表示パネル１０１を制御して表示パネル１０１を前述の第１状態と第２状態とのいずれかの状態にする。また、表示パネル制御部２２０は、表示パネル１０１を第２状態にした場合、画像記憶部２０３ａが記憶する第１画像と第２画像とのいずれかを選択し、選択した画像を示す画像情報をドライバ２０６へ出力する。ドライバ２０６は、画像情報に基づいて、表示パネル制御部２２０が選択した画像が表示器１００に表示されるように表示パネル１０１を駆動する。
【００１９】
計時部２３０は、表示装置１へ電源が投入されてからの経過時間を計時する。計時部２３０は、内蔵クロック（図示せず）を用いて計時を行う。
【００２０】
次に、本実施形態に係る制御部２００が実行する表示制御処理について図４から図７を参照しながら説明する。この表示制御処理は、表示装置１に電源が投入されたことを契機として開始される。例えば表示装置１が車両に搭載されている場合、表示装置１への電源投入は、車両のイグニッションスイッチがオンしたタイミングで実行される。また、表示制御処理開始時において、バックライト１０２は消灯した状態であり、表示パネル１０１は、バックライト１０２から出射される光を遮断する第１状態であるとする。
【００２１】
まず、制御部２００は、図４に示すように、外光センサ４００をオンさせる（ステップＳ１）。これにより、外光センサ４００から出力される電流が、制御部２００へ継続的に入力される。イグニッションスイッチがオンした時点Ｔ０の直後は、図５（Ｃ）に示すように、外光センサ４００から出力される電流Ｉｏの変動が大きい。この電流Ｉｏは、時間の経過とともに変動幅が収束していく。
【００２２】
図４に戻って、次に、計時部２３０は、表示装置１へ電源が投入されてからの経過時間が第１基準時間に到達したか否かを判定する（ステップＳ２）。上記経過時間が第１基準時間に到達しない限り（ステップＳ２：Ｎｏ）、ステップＳ２の処理が繰り返し実行される。これにより、輝度制御部２１０は、上記経過時間が、第１基準時間よりも短い場合、バックライト１０２を消灯状態で維持することになる。この場合、表示器１００の表示画面ＧＡは、図６（Ａ）に示すように、何も表示されない状態で維持される。また、図５（Ｃ）に示すように、第１基準時間の長さ△Ｔ１は、例えば外光センサ４００を含む回路への突入電流の影響により外光センサ４００からパルス電流が出力される可能性がある期間、或いは、外光センサ４００から出力される電流Ｉｏが安定するまでに要する時間以上の長さに設定され、例えば０．５ｍｓｅｃに設定される。このようにして、図５（Ｃ）に示すように、表示装置１へ電源が投入された後外光センサ４００から出力される電流の変動が大きい期間中は、表示器１００に何も表示されない状態が維持される。
【００２３】
図４に戻って、一方、計時部２３０により上記経過時間が第１基準時間に到達したと判定されると（ステップＳ２：Ｙｅｓ）、輝度制御部２１０は、センサインタフェース２０４から明るさ情報を取得する（ステップＳ３）。
【００２４】
続いて、輝度制御部２１０は、バックライトの輝度を設定する（ステップＳ４）。具体的には、輝度制御部２１０は、補助記憶部２０３が記憶する輝度制御テーブルを参照して、取得した明るさ情報が示す明るさに対応するＰＷＭ信号のデューティ比を特定する。輝度制御テーブルは、例えば図７に示すように、明るさ情報が示す明るさとＰＷＭ信号のディーティ比とが正比例の関係にあることを示す直線Ｓに対応するように設定されている。
【００２５】
図４に戻って、その後、表示パネル制御部２２０は、画像記憶部２０３ａが記憶する、表示装置１の初期画像に対応する第１画像を選択する（ステップＳ５）。このとき、表示パネル制御部２２０は、第１画像を選択したことを示す画像情報をドライバ２０６へ出力する。ドライバ２０６は、画像情報が示す第１画像が表示器１００に表示されるように表示パネル１０１を駆動する。
【００２６】
次に、輝度制御部２１０は、特定したＰＷＭ信号のデューティ比を示す輝度情報を調光部２０７へ出力することにより、バックライト１０２を点灯させる（ステップＳ６）。調光部２０７は、輝度制御部２１０から輝度情報が入力されると、その輝度情報に含まれるデューティ比に設定されたＰＷＭ信号で調光回路を駆動しバックライト１０２を点灯させる。これにより、表示器１００の表示画面ＧＡには、例えば図６（Ｂ）に示すような第１画像が表示される。この第１画像は、例えば表示装置１が初期動作中であることを示すオープニング画像で構成される。オープニング画像としては、例えば表示装置１の製造メーカ名や機種名或いは製造メーカのロゴマーク等を表示する画像が挙げられる。
【００２７】
続いて、計時部２３０は、上記経過時間が第２基準時間に到達したか否かを判定する（ステップＳ７：Ｙｅｓ）。上記経過時間が第１基準時間に到達しない限り（ステップＳ７：Ｎｏ）、ステップＳ７の処理が繰り返し実行される。これにより、輝度制御部２１０は、上記経過時間が第１基準時間以上であり且つ第２基準時間よりも短い場合、一定の輝度でバックライト１０２を点灯させることになる。図５（Ｂ）および（Ｃ）に示すように、第２基準時間△Ｔ２中は、バックライト１０２に印加される電圧Ｖｂは、外光センサ４００から出力される電流Ｉｏの変動に関わらず一定に維持される。この第２基準時間△Ｔ２は、第１基準時間よりも長く、表示装置１が初期動作を完了させるまでに要する時間以上の長さに設定され、例えば２．０ｍｓｅｃに設定される。このようにして、図５（Ｂ）に示すように、表示装置１が初期動作を実行している最中は、初期画像が表示器１００に一定の輝度で表示される。
【００２８】
図４に戻って、その後、表示パネル制御部２２０は、画像記憶部２０３ａが記憶する、表示装置１の通常画像に対応する第２画像を選択する（ステップＳ８）。このとき、表示パネル制御部２２０は、第２画像を選択したことを示す画像情報をドライバ２０６へ出力する。ドライバ２０６は、画像情報が示す第２画像が表示器１００に表示されるように表示パネル１０１を駆動する。
【００２９】
次に、輝度制御部２１０は、センサインタフェース２０４から明るさ情報を取得する（ステップＳ９）。
【００３０】
続いて、輝度制御部２１０は、ステップＳ４の処理と同様にして、バックライトの輝度を設定する（ステップＳ１０）。
【００３１】
その後、輝度制御部２１０は、特定したＰＷＭ信号のデューティ比を示す輝度情報を調光部２０７へ出力することにより、バックライト１０２の輝度を調節する（ステップＳ１１）。調光部２０７は、輝度制御部２１０から輝度情報が入力されると、調光回路を駆動するためのＰＷＭ信号のデューティ比をその輝度情報に含まれるデューティ比に変更する。ここで、輝度制御部２１０は、図７に示すような輝度制御テーブルを参照して、明るさ情報が示す明るさが明るくなると、それに伴いＰＷＭ信号のディーティ比を大きくする。
【００３２】
次に、輝度制御部２１０は、表示装置１の電源がオフされたか否かを判定する（ステップＳ１２）。例えば車両のイグニッションスイッチがオフされると同時に、表示装置１の電源もオフされる。輝度制御部２１０は、表示装置１の電源がオフされていないと判定する限り（ステップＳ１２：Ｎｏ）、ステップＳ９からステップＳ１２までの処理を繰り返し実行する。このとき、輝度制御部２１０は、経過時間が第２基準時間以上である場合、外光センサ４００により検出される外光の明るさに応じて輝度が変化するようにバックライト１０２を点灯させる。輝度制御部２１０は、図５（Ｃ）の時刻Ｔ２以降に示すように、車両の周囲の明るさが明るくなるとバックライト１０２の輝度が上昇し、車両の周囲の明るさが暗くなるとバックライト１０２の輝度が下降するように、バックライト１０２の輝度を制御する。また、この間、表示器１００の表示画面ＧＡには、図６（Ｃ）に示すような通常画像が表示される。この通常画像は、領域Ｐ１に地図が表示されるナビゲーションシステムの例を示している。
【００３３】
図４に戻って、一方、輝度制御部２１０が表示装置１の電源がオフされたと判定すると（ステップＳ１２：Ｙｅｓ）、表示制御処理が終了する。
【００３４】
以上説明したように、本実施形態に係る表示装置１によれば、輝度制御部２１０が、表示装置１へ電源が投入された後の経過時間が、第１基準時間よりも短い場合、バックライト１０２を消灯状態で維持する。ここで、第１基準時間は、外光センサ４００がオンされた後、外光センサ４００の出力（電流）の変動が収束するまでに要する時間以上の長さに設定されている。これにより、輝度制御部２１０は、外光センサ４００の検出結果の信頼性が低い状態で、外光センサ４００からの電流の大きさに基づいてバックライト１０２の輝度を設定してしまうことがない。また、輝度制御部２１０は、上記経過時間が第１基準時間以上且つ第２基準時間よりも短い場合、一定の輝度でバックライト１０２を点灯させる。ここで、第２基準時間は、第１基準時間よりも長く且つ表示装置１が初期動作を完了させるまでに要する時間以上の時間に設定されている。そして、輝度制御部２１０は、上記経過時間が第２基準時間以上である場合、外光センサ４００により検出される外光の明るさに応じて輝度が変化するようにバックライト１０２を点灯させる。
【００３５】
即ち、輝度制御部２１０は、表示装置１へ電源が投入された後、ユーザが表示器１００を注視している可能性が高い、第２基準時間が経過するまでの間、表示器１００を非表示または一定の輝度で情報が表示された状態のいずれかで維持する。従って、表示装置１は、自装置へ電源が投入された後にユーザが表示器１００を注視しているときに、表示器１００の輝度が変動することに起因してユーザに与える違和感を軽減できる。
【００３６】
また、本実施形態に係る表示装置１では、上記経過時間が第１基準時間以上且つ第２基準時間よりも短い場合におけるバックライト１０２の輝度が、上記経過時間が第１基準時間に達した時点において、外光センサ４００で検出された明るさに基づいて設定される。これにより、輝度を外光の明るさに基づいた適切な大きさに設定することができる。
【００３７】
また、本実施形態に係る表示装置１では、表示パネル制御部２２０が、上記経過時間が第１基準時間以上であり且つ第２基準時間よりも短い場合、表示器１００に初期画像が表示されるように表示パネル１０１を制御する。一方、表示パネル制御部２２０は、上記経過時間が第２基準時間以上の場合、表示器１００に通常画像が表示されるように表示パネル１０１を制御する。これにより、ユーザが注視している可能性が高い初期画像が一定の輝度で表示されるので、ユーザに与える違和感を軽減できる。
【００３８】
更に、本実施形態では、第１画像が表示装置１のオープニング画像に設定されている。これにより、ユーザは、表示装置１の初期動作の実行中において、表示装置１の状態が初期動作実行中であることを認識することができる。
【００３９】
［変形例］
以上、本発明の実施形態について説明したが、本発明は前述の実施形態の構成に限定されるものではない。例えば、図８に示すように、表示装置２００１が、実施形態で説明した表示器１００の他に、デジタル式計器６００を備えていてもよい。デジタル式計器６００としては、例えばセグメント型液晶を備えた計器が挙げられる。デジタル式計器６００は、表示器１００と同様に、バックライト（図示せず）を備えている。
【００４０】
この場合、例えば実施形態において、調光部２０７が、表示器１００のバックライト１０２とともに、デジタル式計器６００のバックライトに接続された構成とすればよい。そして、輝度制御部２１０は、表示装置１へ電源が投入された後の経過時間が、第１基準時間よりも短い場合、各バックライトを消灯状態で維持すればよい。また、輝度制御部２１０は、上記経過時間が第１基準時間以上であり且つ第２基準時間よりも短い場合、一定の輝度で各バックライトを点灯させればよい。そして、輝度制御部２１０は、上記経過時間が第２基準時間以上である場合、外光センサ４００により検出される外光の明るさに応じて輝度が変化するように各バックライトを点灯させるようにすればよい。なお、輝度制御部２１０は、上記経過時間が第１基準時間以上であり且つ第２基準時間よりも短い場合、バックライト１０２および上記照明装置のいずれか一方だけを一定の輝度で点灯させるようにしてもよい。また、表示装置は、デジタル式計器６００のみを備える構成であってもよい。
【００４１】
前述の実施形態において、表示パネル制御部２２０は、上記経過時間が第１基準時間以上であり且つ第２基準時間よりも短い場合、表示パネル１０１をバックライト１０２から出射した光を遮断する第１状態で維持してもよい。
【００４２】
バックライト１０２には、例えばその点灯直後において輝度の揺らぎが生じてしまうものがある。これに対して、本構成によれば、バックライト１０２の点灯直後において、表示パネル制御部２２０は、表示パネル１０１を第１状態で維持する。これにより、前述のように点灯直後に輝度に揺らぎが生じてしまうバックライト１０２を採用した場合でも、ユーザはその輝度の揺らぎを感じることなく表示装置１を使用することができる。
【００４３】
前述の実施形態では、表示装置１へ電源が投入された後の経過時間が、第１基準時間以上であり且つ第２基準時間よりも短い場合、バックライト１０２を点灯させる例について説明した。但し、バックライト１０２を点灯させるタイミングは、上記経過時間が第１基準時間に達した時点に限定されるものではない。例えば、バックライト１０２が、表示装置１へ電源が投入されると同時に点灯する構成であってもよい。
【００４４】
前述の実施形態では、第１画像がオープニング画像である例について説明したが、これに限らず、例えば第１画像は、表示装置１が搭載される車両の車両情報を表示する画像であってもよい。
【００４５】
前述の実施形態では、上記経過時間が第１基準時間以上且つ第２基準時間よりも短い場合でのバックライト１０２の輝度が、上記経過時間が第１基準時間に達した時点において外光センサ４００で検出された明るさに基づいて設定される例について説明した。但し、上記経過時間が第１基準時間以上且つ第２基準時間よりも短い場合でのバックライト１０２の輝度の設定方法は、この方法に限定されるものではなく、例えば、外光センサ４００で検出される明るさとは無関係に予め設定されるものであってもよい。
【符号の説明】
【００４６】
１，２００１：表示装置、１００：表示器、１０１：表示パネル、１０１ａ：表示面、１０１ｂ：後面、１０２：バックライト、１０２ａ：出射面、２００：制御部、２０１：ＣＰＵ、２０２：主記憶部、２０３：補助記憶部、２０３ａ：画像記憶部、２０４：センサインタフェース、２０６：ドライバ、２０７：調光部、２０８：バス、２１０：輝度制御部、２２０：表示パネル制御部、２３０：計時部、４００：外光センサ、６００：デジタル式計器、ＧＡ：表示画像、Ｌ：光、Ｓ：直線、△Ｔ１：第１基準時間、△Ｔ２：第２基準時間
【図１】
0006631185.tif 000002
【図２】
0006631185.tif 000003
【図３】
0006631185.tif 000004
【図４】
0006631185.tif 000005
【図５】
0006631185.tif 000006
【図６】
0006631185.tif 000007
【図７】
0006631185.tif 000008
【図８】
0006631185.tif 000009